(57)【特許請求の範囲】
【請求項１】
複数の撮像結果に基づく各映像を、同一時間軸上で当該各映像に同期して付加されたタイムコードを基準とするタイムラインにそれぞれ変換して表示する第１の表示手段と、
上記第１の表示手段に表示された各上記タイムラインのうち、上記時間軸上で指定されたタイムコードに対応する映像をそれぞれ表示する第２の表示手段と、
上記第２の表示手段に表示された各上記映像の中から上記時間軸上で順次指定された所望部分の映像ごとに、それぞれクリップとして表示する第３の表示手段と
を具え、
上記第３の表示手段では、上記指定された所望部分を構成する各上記撮像結果に応じたクリップの中から所望するクリップのみが選択される
ことを特徴とする編集装置。
【請求項２】
上記第３の表示手段では、
上記第２の表示手段に表示された各上記映像の中から上記時間軸上で順次上記所望部分が指定されるごとに、各上記クリップがそれぞれ上記時間軸と平行にずれて時系列的に順次表示される
ことを特徴とする請求項１に記載の編集装置。
【請求項３】
複数の撮像結果に基づく各映像を、同一時間軸上で当該各映像に同期して付加されたタイムコードを基準とするタイムラインにそれぞれ変換して表示する第１のステップと、
上記表示された各上記タイムラインのうち、上記時間軸上で指定されたタイムコードに対応する映像をそれぞれ表示する第２のステップと、
上記表示された各上記映像の中から上記時間軸上で順次指定された所望部分の映像ごとに、それぞれクリップとして表示する第３のステップと、
上記指定された上記所望部分を構成する各上記撮像結果に応じたクリップの中から選択されたクリップのみを表示する第４のステップと
を具えることを特徴とする編集方法。
【請求項４】
上記第３のステップでは、
上記表示された各上記映像の中から上記時間軸上で順次上記所望部分が指定されるごとに、各上記クリップがそれぞれ上記時間軸と平行にずれて時系列的に順次表示される
ことを特徴とする請求項３に記載の編集方法。
【発明の詳細な説明】
【０００１】
【発明の属する技術分野】
本発明は編集装置及び編集方法に関し、例えば１つの撮像対象を複数のビデオカメラを用いて様々な角度から撮像した各映像を編集し得るようになされた編集システムに適用して好適なものである。
【０００２】
【従来の技術】
従来、この種の編集システムとしては、編集装置及びビデオサーバから構成されたものがあり、編集装置は、ビデオサーバに記憶されている映像データの中からオペレータによって順次指定された映像をそれぞれクリップとして登録し、当該登録した各クリップ同士の順番や、繋ぎ合わせ方などの編集内容を規定する編集リストを作成するようにして、当該編集リストに基づきビデオサーバを制御することによりいわゆるノンリニア編集を行うようになされている。
【０００３】
【発明が解決しようとする課題】
ところでこの編集システムでは、例えばビデオカメラを用いて固有のタイムコードに基づいて撮像した撮像結果としての映像データを、所定の入力処理を施した後、当該映像データに付随する所定のテキストデータと共にビデオサーバに記録するようになされている。
【０００４】
従って例えばこのビデオカメラを複数用いて、１つの撮像対象を様々な角度から撮像した場合、当該撮像された各映像は、それぞれ個別のタイムコードに基づいて撮像されることになる。
【０００５】
しかしながらかかる編集システムでは、このように１つの撮像対象について各ビデオカメラで撮像した各映像を編集する場合、当該各映像の時間的経過の同期がとれていないため、各映像の時間的相関関係を把握するのが困難な問題があった。
【０００６】
このため例えばこの撮像対象がカーレース等の一連のシーンである場合、各映像データの中から選出したクリップの映像がそれぞれどの場面のどの部分であるか把握し難く、当該クリップ同士の時間的なタイミングを合わせるのが困難な問題があった。
【０００７】
またこの編集システムでは、編集リストを作成する際、選出したクリップ同士を時間軸上で一本に連なったタイムラインを形成するように繋ぎ合わせて表示するため、クリップ同士の繋ぎ目が判り難くなる問題もあった。
【０００８】
本発明は以上の点を考慮してなされたもので、編集の作業効率を格段的に向上させ得る編集装置及び編集方法を提案しようとするものである。
【０００９】
【課題を解決するための手段】
かかる課題を解決するため本発明においては、編集装置において、複数の撮像結果に基づく各映像を、同一時間軸上で当該各映像に同期して付加されたタイムコードを基準とするタイムラインにそれぞれ変換して表示する第１の表示手段と、表示された各タイムラインのうち、時間軸上で指定されたタイムコードに対応する映像をそれぞれ表示する第２の表示手段と、表示された各映像の中から時間軸上で順次指定された所望部分の映像ごとに、それぞれクリップとして表示する第３の表示手段とを設け、第３の表示手段では、指定された所望部分を構成する各撮像結果に応じたクリップの中から所望するクリップのみが選択されるようにした。
【００１０】
この結果この編集装置では、各映像の中から時間軸上で順次指定された所望部分の映像ごとに抽出するクリップ同士の時間的相関関係を容易に把握することができる。
【００１１】
また本発明においては、編集方法において、複数の撮像結果に基づく各映像を、同一時間軸上で当該各映像に同期して付加されたタイムコードを基準とするタイムラインにそれぞれ変換して表示する第１のステップと、表示された各タイムラインのうち、時間軸上で指定されたタイムコードに対応する映像をそれぞれ表示する第２のステップと、表示された各映像の中から時間軸上で順次指定された所望部分の映像ごとに、それぞれクリップとして表示する第３のステップと、指定された所望部分を構成する各撮像結果に応じたクリップの中から選択されたクリップのみを表示する第４のステップとを設けるようにした。
【００１２】
この結果この編集方法では、各映像の中から時間軸上で順次指定された所望部分の映像ごとに抽出するクリップ同士の時間的相関関係を容易に把握することができる。
【００１３】
【発明の実施の形態】
以下図面について、本発明の一実施の形態を詳述する。
【００１４】
（１）本実施の形態による編集システムの構成
図１において、１は全体として本実施の形態による編集システムを示し、撮像装置２の複数のビデオカメラ２Ａ〜２Ｄによって例えば１つの撮像対象を様々な角度から撮像されてなる各映像データＤ１〜Ｄ４を例えばＭＰＥＧ２（Moving Picture Experts Group Phase 2）等の規格に基づいてそれぞれ圧縮符号化し、これらをそれぞれエンコードデータＤ５〜Ｄ８としてディスクアレイ構成の記録再生部を有するＡＶ（Audio Video ）サーバでなるビデオサーバ３に格納する。
【００１５】
またこのときビデオサーバ３には、図示しないテキストデータ入力部からオペレータにより入力された各映像データＤ１〜Ｄ４のタイトルや、ＩＤ、取材日、取材場所等のテキスト情報がテキストデータＤＴ１〜ＤＴ４として与えられる。かくしてビデオサーバ３は、これら映像データＤ１〜Ｄ４のテキストデータＤＴ１〜ＤＴ４を順次データベース化して格納する。
【００１６】
そしてビデオサーバ３に格納された各映像データＤ１〜Ｄ４のエンコードデータＤ５〜Ｄ８及び対応するテキストデータＤＴ１〜ＤＴ４は、編集装置４のプロセッサ５を用いてオペレータにより必要に応じて読み出すことができる。
【００１７】
実際上このプロセッサ５は、データ検索及び選択モード時、操作部６にオペレータによって所望する映像データＤ１〜Ｄ４のＩＤ等の検索条件が入力され、その映像データＤ１〜Ｄ４の検索命令が入力されると、ビデオサーバ３に格納されている各映像データＤ１〜Ｄ４のテキスト情報のデータベースに基づいて対応する映像データＤ１〜Ｄ４を検索し、検索により選出した当該映像データＤ１〜Ｄ４のテキストデータＤＴ１〜ＤＴ４を読み出させる。
【００１８】
またプロセッサ５は、検索結果に基づいて対応する映像データＤ１〜Ｄ４のエンコードデータＤ５〜Ｄ８をビデオサーバ３に読み出させ、当該エンコードデータＤ５〜Ｄ８と、テキストデータＤＴ１〜ＤＴ４とに基づいて対応する各映像データＤ１〜Ｄ４の映像をそれぞれモニタ部７に例えば当該映像数分、分割して表示させると共に、一部のテキスト情報を液晶ディスプレイ８に表示させる。
【００１９】
この結果オペレータは、このモニタ部７と液晶ディスプレイ８とに表示された対応する映像データＤ１〜Ｄ４の映像と、テキスト情報とに基づいて所望する映像を選択することができる。
【００２０】
さらにプロセッサ５は、データ検索及び選択モードに続く編集リスト作成モード時、上述のようにして選択された映像データＤ１〜Ｄ４の再生命令が入力されると、ビデオサーバ３に映像データＤ１〜Ｄ４のエンコードデータＤ５〜Ｄ８及びテキストデータＤＴ１〜ＤＴ４を読み出させ、当該エンコードデータＤ５〜Ｄ８に基づく映像をそれぞれモニタ部７に当該映像数分分割表示させると共に、当該テキストデータＤＴ１〜ＤＴ４に基づくテキスト情報の一部を液晶ディスプレイ８に表示させる。
【００２１】
この結果オペレータは、モニタ部７に表示された各映像を目視しながら液晶ディスプレイ８に表示されるテキスト情報に基づいて操作部６を操作することにより、イン点及びアウト点を指定するようにして当該映像データＤ１〜Ｄ４の映像の中から所望部分をそれぞれクリップとして順次登録することができる。
【００２２】
またオペレータは、このようにして登録した各クリップをどのような順番でどのように繋ぎ合わせるかといった編集内容を規定した編集リストをプロセッサ５を用いて作成することができ、このようにして作成された編集リストのデータ（以下、これを編集リストデータと呼ぶ）がプロセッサ５から編集処理系（図示せず）に与えられ、当該編集処理系において編集リストデータに基づいて実際の編集処理が実行される。
【００２３】
（２）撮像部２のビデオカメラ２Ａ〜２Ｄの構成
ここで実際上撮像部２のビデオカメラ２Ａ〜２Ｄは、それぞれ例えば図２に示すように構成されており、外部の制御部１０の制御に基づいて撮像部２Ａ１、２Ｂ１、２Ｃ１及び２Ｄ１によって撮像した撮像対象の映像を撮像信号Ｓ１Ａ、Ｓ１Ｂ、Ｓ１Ｃ及びＳ１Ｄとして対応する記録信号処理部２Ａ２、２Ｂ２、２Ｃ２及び２Ｄ２に与える。
【００２４】
記録信号処理部２Ａ２〜２Ｄ２は、与えられる撮像信号Ｓ１Ａ〜Ｓ１Ｄに対して所定の信号処理を施した後、これを記録処理信号Ｓ２Ａ、Ｓ２Ｂ、Ｓ２Ｃ及びＳ２Ｄとしてそれぞれ対応する磁気テープや、ＤＶＤ（Disital Vidio Disc）、ハードディスク等でなる記録媒体２Ａ３、２Ｂ３、２Ｃ３及び２Ｄ３に与える。
【００２５】
このとき各記録媒体２Ａ３〜２Ｄ３には、それぞれ対応するタイムコード生成部２Ａ４、２Ｂ４、２Ｃ４及び２Ｄ４からタイムコード信号Ｓ３が与えられており、当該各タイムコード生成部２Ａ４〜２Ｄ４では、外部の制御部１０の制御により外部の基準クロック生成部１１から基準クロック信号ＣＬＫが与えられることに基づいて、各ビデオカメラ２Ａ〜２Ｄにそれぞれ同期したタイムコードを生成している。
【００２６】
因みにこの実施の場合、各タイムコード生成部２Ａ４〜２Ｄ４は時計でなり、これらは全て基準クロック生成部から与えられる基準クロック信号ＣＬＫに基づいて同期することにより、同時刻を刻むようになされている。
【００２７】
これにより記録媒体２Ａ３〜２Ｄ３では、記録信号処理部２Ａ２〜２Ｄ２から与えられた記録処理信号Ｓ２Ａ〜Ｓ２Ｄと、タイムコード生成部２Ａ４〜２Ｄ４から与えられるタイムコード信号Ｓ３とを一体に記録信号Ｓ４Ａ、Ｓ４Ｂ、Ｓ４Ｃ及びＳ４Ｄとして記録する。
【００２８】
また記録媒体２Ａ３〜２Ｄ３では、それぞれ外部の制御部１０の制御に基づき必要に応じて記録している記録信号Ｓ４Ａ〜Ｓ４Ｄを読み出し、これを再生信号処理部２Ａ５、２Ｂ５、２Ｃ５及び２Ｄ５に与える。
【００２９】
これにより再生信号処理部２Ａ５〜２Ｄ５は、それぞれ対応して与えられる記録信号Ｓ４Ａ〜Ｓ４Ｄに対して所定の信号処理を施し、得られた映像データＤ１〜Ｄ４を編集システム１のビデオサーバ３に与える。
【００３０】
このようにして各ビデオカメラ２Ａ〜２Ｄでは、それぞれ撮像した撮像対象の映像をそれぞれ同期したタイムコード信号Ｓ３と一体に記録すると共に、必要に応じてこれを読み出し、再生するようになされている。
【００３１】
（３）編集装置４のプロセッサ５の構成
ここで編集装置４のプロセッサ５は、図３に示すように、ＣＰＵ（Central Processing Unit ）２０、ＲＯＭ（Read Only Memory）２１、ＲＡＭ（Random Access Memory）２２、表示処理回路２３、信号処理回路２４、インターフェース回路２５、２６及びＳＣＳＩ（Small Computer System Interface ）インターフェース回路２７がＣＰＵバス２８を介して接続されることにより構成されており、各インターフェース回路２５、２６をそれぞれ介して操作部６及びビデオサーバ３と接続され、ＳＣＳＩインターフェース回路２７を介してハードディスク装置２９と接続されている。
【００３２】
この場合ＣＰＵ２０は、ＲＯＭ２１に格納されたプログラムに基づいて、必要に応じてＲＯＭ２１内の画像データを読み出し、これを表示処理回路２３を介して映像信号Ｓ１０として液晶ディスプレイ８に与えることにより、ＧＵＩ画面３０や、操作部６を介して入力された数字や文字等を液晶ディスプレイ８に表示させる。
【００３３】
またＣＰＵ２０は、操作部６が操作されることにより第１のインターフェース回路２５を介して所定処理の実行命令が与えられると、ＲＯＭ２１に格納されたプログラムに基づいて、必要に応じて第２のインターフェース回路２６を介してビデオサーバ３にアクセスすることにより必要な映像データＤ１〜Ｄ４のエンコードデータＤ５〜Ｄ８やそのテキストデータＤＴ１〜ＤＴ４を再生させる。
【００３４】
さらにＣＰＵ２０は、このようにしてビデオサーバ３に再生させた映像データＤ１〜Ｄ４のエンコードデータＤ５〜Ｄ８及びテキストデータＤＴ１〜ＤＴ４を信号処理回路２４及び第２のインターフェース回路２６を介して取り込み、エンコードデータＤ５〜Ｄ８を当該信号処理回路２４においてＭＰＥＧ２等の規格に基づいて復号化し、デコードデータＤ９〜Ｄ１２を得る。
【００３５】
そしてＣＰＵ２０は、このデコードデータＤ９〜Ｄ１２及びテキストデータＤＴ１〜ＤＴ４を表示処理回路２３を介して、それぞれ映像信号Ｓ１１、Ｓ１２としてモニタ７及び液晶ディスプレイ８に与えることにより、対応する映像データＤ１〜Ｄ４の映像及びこれに対応するテキスト情報をモニタ７及び液晶ディスプレイ８に表示させる。
【００３６】
さらにＣＰＵ２０は、このようにして得られた映像データＤ１〜Ｄ４のデコードデータＤ９〜Ｄ１２及び対応するテキストデータＤＴ１〜ＤＴ４をＳＣＳＩインターフェース回路２７を介して必要に応じてハードディスク装置２９に格納し、又当該ハードディスク装置２９に格納した映像素材のデコードデータＤ９〜Ｄ１２及び対応するテキストデータＤＴ１〜ＤＴ４をＳＣＳＩインターフェース回路２７を介して必要に応じて読み出す。
【００３７】
実際上液晶ディスプレイ８に表示されるテキスト情報は、図４に示すように、オペレータにより選択された各映像データＤ１〜Ｄ４のテキストデータＤＴ１〜ＤＴ４に基づく当該各映像データＤ１〜Ｄ４の全撮像時間などの撮像内容がそれぞれタイムコード信号Ｓ３に基づくタイムラインでなるタイムデータＤTIME１〜ＤTIME４Ｂとして同一時間軸上にそれぞれ並列に表示されるデータ表示エリア３０Ａと、このデータ表示エリア３０Ａにおいてオペレータにより指定された各映像データＤ１〜Ｄ４の所望部分がクリップとしてそれぞれ所定のタイムラインを用いて並列したＡロール側とＢロール側とに順次交互に表示するＡＢロール形式で表示されるクリップ表示エリア３０ＢとからなるＧＵＩ（Graphical User Interface）画面３０により構成されている。
【００３８】
因みにデータ表示エリア３０Ａは、ビデオカメラ２Ａ〜２Ｄの時計に基づく時間表示であるため、この実施の形態の場合、約18時から21時過ぎまでの撮像時間を示している。
【００３９】
そしてオペレータは、編集リスト作成モード時、図５（Ａ）に示すように、データ表示エリア３０Ａ上で約18時から21時過ぎまで表示されている各映像データＤ１〜Ｄ４のタイムデータＤTIME１〜ＤTIME４Ｂの中から所望する時間帯の映像を、対応してモニタ７に４分割画面で表示されている各映像データＤ１〜Ｄ４の映像を目視しながらイン点ＰIN１及びアウト点ＰOUT １を指定するようにしてクリップ群Ｃ１として抽出する。
【００４０】
このときこのイン点ＰIN１及びアウト点ＰOUT １によって指定された領域は、別表示されるようになされている。
【００４１】
これにより抽出されたクリップ群Ｃ１は、クリップ表示エリア３０ＢのＡロール側にタイムデータＤTIME１〜ＤTIME４Ｂの時間に対応させた長さのタイムラインを用いてクリップＣ１Ａ、Ｃ１Ｂ、Ｃ１Ｃ及びＣ１Ｄとして表示される。
【００４２】
このような手順を順次繰り返すようにしてオペレータは、図５（Ｂ）に示すように、データ表示エリア３０Ａ上のタイムデータＤTIME１〜ＤTIME４Ｂの中から所望する時間帯の映像を順次イン点ＰIN２、ＰIN３及びアウト点ＰOUT ２、ＰOUT ３を指定するようにしてクリップ群Ｃ２、Ｃ３として抽出する。
【００４３】
これによりこれらクリップ群Ｃ２、Ｃ３は、クリップ表示エリア３０ＢのＢロール側及びＡロール側に順次交互にクリップＣ２Ａ〜Ｃ２Ｃ並びにＣ３Ａ、Ｃ３Ｂ及びＣ３Ｄとして表示される。
【００４４】
このときクリップ表示エリア３０Ｂに表示されるクリップ群Ｃ１〜Ｃ３の各クリップＣ１Ａ〜Ｃ３Ｄの長さは、それぞれデータ表示エリア３０Ａにおいて指定したイン点ＰIN１〜ＰIN３及びアウト点ＰOUT １〜ＰOUT ３間の時間に比例すると共に、それぞれ繋ぎ合わせ用ののりしろとして前後に所定の時間分（５秒程度）長く設定されている。
【００４５】
この後オペレータは、図６に示すように、クリップ表示エリア３０ＢにＡＢロール形式で所定状態に並べられて繋ぎ合わされた各クリップ群Ｃ１〜Ｃ３に対応してモニタ７に表示される当該各クリップＣ１Ａ〜Ｃ３Ｄの映像を目視しながら、当該各クリップ群Ｃ１〜Ｃ３毎にその中で所望のクリップＣ１Ａ〜Ｃ３Ｄの映像を選択し、これらをどのタイミングで切り換えるか順次スイッチングポイントＰSW１〜ＰSW４を用いて指定する。
【００４６】
このときオペレータによって指定されたクリップＣ１Ａ〜Ｃ３Ｄは、別表示されるようになされている。
【００４７】
因みにこの編集システム１では、繋ぎ合わされたクリップ群Ｃ１〜Ｃ３の中でこれらスイッチングポイントＰSW１〜ＰSW４を移動したり、追加したり又は消去したりすることにより、この繋ぎ合わされたクリップ群Ｃ１〜Ｃ３の時間の流れを保ったまま簡単に編集し得るようになされている。
【００４８】
このようにして編集システム１では、オペレータがＧＵＩ画面３０を用いてビデオサーバ３に格納されている映像データの中から所望の映像データＤ１〜Ｄ４を選出した後、当該各映像データＤ１〜Ｄ４の中から所望部分をクリップ群Ｃ１〜Ｃ３として抽出する際、当該各映像データＤ１〜Ｄ４をタイムコード信号Ｓ３に基づいて同一時間軸上に並列に並べることができる分、抽出するクリップ群Ｃ１〜Ｃ３同士の時間的相関関係を容易に把握することができると共に、クリップ群Ｃ１〜Ｃ３同士がタイムコード信号Ｓ３に基づいて同期しているため、当該クリップ群Ｃ１〜Ｃ３同士の時間的なタイミングを容易に合わせることができる。
【００４９】
（４）ＣＰＵ２０の編集リスト作成処理手順
ここで実際上プロセッサ５のＣＰＵ２０は、編集リスト作成モード時、図７に示す編集リスト作成処理手順ＲＴ１に従って上述のような映像データＤ１〜Ｄ４の編集処理を実行する。
【００５０】
すなわちＣＰＵ２０は、オペレータによりビデオサーバ３に格納されている映像データの中から所望の映像データＤ１〜Ｄ４が指定され、それらの再生命令が入力されると、この編集リスト作成処理手順ＲＴ１をステップＳＰ０において開始し、続くステップＳＰ１において、液晶ディスプレイ８のＧＵＩ画面３０のデータ表示エリア３０Ａに当該映像データＤ１〜Ｄ４の所要時間を対応するテキストデータＤＴ１〜ＤＴ４に基づいて同一時間軸に同期させて並列に表示させる。
【００５１】
この後ＣＰＵ２０は、次のステップＳＰ２に進んでオペレータによりデータ表示エリア３０Ａの映像データＤ１〜Ｄ４の中から所望部分をイン点ＰIN１及びアウト点ＰOUT １を用いて指定する命令が入力されると、これをクリップ群Ｃ１として抽出し、続くステップＳＰ３に進む。
【００５２】
そしてＣＰＵ２０は、ステップＳＰ３においてステップＳＰ２で抽出したクリップ群Ｃ１を対応するタイムラインを用いてクリップＣ１Ａ〜Ｃ１Ｄとしてクリップ表示エリア３０Ｂに表示させ、ステップＳＰ４に進んでデータ表示エリア３０Ａの映像データＤ１〜Ｄ４からクリップを抽出するのを終了するか否かを判断する。
【００５３】
そしてＣＰＵ２０は、ステップＳＰ４においてオペレータによるクリップを抽出するためのイン点ＰIN２及びアウト点ＰOUT ２の指定命令が入力されることにより否定結果を得ると、ステップＳＰ２に戻り、この後ステップＳＰ４において肯定結果を得るまでステップＳＰ２−ＳＰ３−ＳＰ４のループを繰り返し、やがてオペレータによってクリップの抽出を終了する命令が入力されることによりステップＳＰ４において肯定結果を得ると、次のステップＳＰ５に進む。
【００５４】
このときＣＰＵ２０は、ステップＳＰ２−ＳＰ３−ＳＰ４のループを繰り返して抽出したクリップ群Ｃ１〜Ｃ３を順次クリップ表示エリア３０ＢにＡＢロール形式でＡロール側から交互になるように表示させることにより、当該抽出したクリップ群Ｃ１〜Ｃ３を所定状態に繋ぎ合わせる。
【００５５】
そしてＣＰＵ２０は、ステップＳＰ５においてオペレータにより繋ぎ合わせた各クリップ群Ｃ１〜Ｃ３の中でどの映像を選択し、これをどのタイミングで切り換えるかを指定する命令が入力されると、当該各クリップ群Ｃ１〜Ｃ３の指定された位置にスイッチングポイントＰSW１〜ＰSW４を設け各領域ごとに区分すると共に、当該領域内で指定された映像に対応するクリップＣ１Ａ〜Ｃ３Ｄを指示する。
【００５６】
そしてＣＰＵ２０は、この後ステップＳＰ６に進んでこの編集リスト作成処理手順ＲＴ１を終了する。
【００５７】
（５）本実施の形態の動作及び効果
以上の構成において、この編集システム１では、複数のビデオカメラ２Ａ〜２Ｄを用いて一つの撮像対象を様々な角度からそれぞれ同期したタイムコード信号Ｓ３を付加して撮像しておく。
【００５８】
そして編集システム１は、編集リスト作成モード時、撮像結果としての映像データＤ１〜Ｄ４をそれぞれタイムコード信号Ｓ３に基づいてタイムデータＤTIME１〜ＤTIME４Ｂに変換してＧＵＩ画面３０のデータ表示エリア３０Ａに同一時間軸上で並列に表示させる。
【００５９】
またこの編集システム１では、データ表示エリア３０Ａに表示されるタイムデータＤTIME１〜ＤTIME４Ｂの中から時間軸上で順次指定された所望部分に対応する映像ごとに抽出されるクリップＣ１Ａ〜Ｃ３Ｄをそれぞれ当該所望部分に対応するクリップＣ１Ａ〜Ｃ３Ｄごとにクリップ群Ｃ１〜Ｃ３としてクリップ表示エリア３０ＢにＡＢロール形式で表示させて繋ぎ合わせる。
【００６０】
従ってこの編集システム１では、各クリップＣ１Ａ〜Ｃ３Ｄの時間的相関関係を容易に把握することができると共に、繋ぎ合わせるクリップ群Ｃ１〜Ｃ３同士の繋ぎ目を明確にすることができる。
【００６１】
以上の構成によれば、この編集システム１では、編集リスト作成モード時、複数の撮像結果に基づく各映像を、同一時間軸上で当該各映像に同期して付加されたタイムコードを基準とするタイムラインにそれぞれ変換してデータ表示エリア３０Ａに並列に表示させるようにしたことにより、当該各映像の中から時間軸上で順次指定された所望部分の映像ごとに抽出するクリップ同士の時間的相関関係を容易に把握することができ、かくして編集の作業効率を格段的に向上させ得る編集システム１を実現することができる。
【００６２】
（６）他の実施の形態
なお上述の実施の形態においては、本発明を編集システム１に適用するようにした場合について述べたが、本発明はこれに限らず、要は映像データの中から選出したクリップ同士の時間的相関関係が容易に把握することができるようになされたこの他種々の編集装置に広く適用することができる。
【００６３】
また上述の実施の形態においては、ビデオサーバ３に格納する映像データとして、ビデオカメラ２Ａ〜２Ｄを用いて撮像した映像データＤ１〜Ｄ４を用いるようにした場合について述べたが、本発明はこれに限らず、要はそれぞれ同期したタイムコードに基づいて撮像された複数の映像データであれば、ビデオサーバ３に格納する映像データとしては、この他種々のものを広く適用することができる。
【００６４】
さらに上述の実施の形態においては、ＧＵＩ画面３０のデータ表示エリア３０Ａと、クリップ表示エリア３０Ｂとを図４に示すように表示するようにした場合について述べたが、本発明はこれに限らず、ＧＵＩ画面３０の表示方法としては、この他種々の表示方法を広く適用することができる。
【００６５】
さらに上述の実施の形態においては、モニタ７における映像の表示方法として、オペレータによりビデオサーバ３に格納されている映像データＤ１〜Ｄ４の中から選択された映像データＤ１〜Ｄ４に基づく映像数分分割表示するようにした場合について述べたが、本発明はこれに限らず、映像データＤ１〜Ｄ４の映像の表示方法としては、この他種々の表示方法を適用することができ、例えば選択した映像データＤ１〜Ｄ４の映像数分モニタ７を容易してそれぞれに対応する当該映像を表示するようにしても良い。
【００６６】
さらに上述の実施の形態においては、ビデオカメラ２Ａ〜２Ｄのタイムコード生成部２Ａ４〜２Ｄ４として時計を用いるようにした場合について述べたが、本発明はこれに限らず、要は、基準クロック信号ＣＬＫに基づいてそれぞれ同期したタイムコードを生成するものであれば、タイムコード生成部２Ａ４〜２Ｄ４としては、この他種々のものを広く適用することができる。
【００６７】
【発明の効果】
上述のように本発明によれば、編集装置において、複数の撮像結果に基づく各映像を、同一時間軸上で当該各映像に同期して付加されたタイムコードを基準とするタイムラインにそれぞれ変換して表示する第１の表示手段と、表示された各タイムラインのうち、時間軸上で指定されたタイムコードに対応する映像をそれぞれ表示する第２の表示手段と、表示された各映像の中から時間軸上で順次指定された所望部分の映像ごとに、それぞれクリップとして表示する第３の表示手段とを設け、第３の表示手段では、指定された所望部分を構成する各撮像結果に応じたクリップの中から所望するクリップのみが選択されるようにしたことにより、各映像の中から時間軸上で順次指定された所望部分の映像ごとに抽出するクリップ同士の時間的相関関係を容易に把握することができ、かくして編集の作業効率を格段的に向上させ得る編集装置を実現することができる。
【００６８】
また本発明によれば、編集方法において、複数の撮像結果に基づく各映像を、同一時間軸上で当該各映像に同期して付加されたタイムコードを基準とするタイムラインにそれぞれ変換して表示する第１のステップと、表示された各タイムラインのうち、時間軸上で指定されたタイムコードに対応する映像をそれぞれ表示する第２のステップと、表示された各映像の中から時間軸上で順次指定された所望部分の映像ごとに、それぞれクリップとして表示する第３のステップと、指定された所望部分を構成する各撮像結果に応じたクリップの中から選択されたクリップのみを表示する第４のステップとを設けるようにしたことにより、各映像の中から時間軸上で順次指定された所望部分の映像ごとに抽出するクリップ同士の時間的相関関係を容易に把握することができ、かくして編集の作業効率を格段的に向上させ得る編集方法を実現することができる。
【図面の簡単な説明】
【図１】本実施の形態による編集システムの全体構成を示すブロック図である。
【図２】ビデオカメラの構成を示すブロック図である。
【図３】プロセッサの構成を示すブロック図である。
【図４】ＧＵＩ画面の構成を示す略線図である。
【図５】ＧＵＩ画面における編集リスト作成の様子を示す略線図である。
【図６】ＧＵＩ画面における編集リスト作成の様子を示す略線図である。
【図７】編集リスト作成処理手順を示すフローチャートである。
【符号の説明】
１……編集システム、２……撮像装置、２Ａ〜２Ｄ……ビデオカメラ、２Ａ１〜２Ｄ１……撮像部、２Ａ２〜２Ｄ２……記録信号処理部、２Ａ３〜２Ｄ３……記録媒体、２Ａ４〜２Ｄ４……タイムコード生成部、２Ａ５〜２Ｄ５……再生信号処理部、３……ビデオサーバ、４……編集装置、５……プロセッサ、６……操作部、７……モニタ、８……液晶ディスプレイ、１０……制御部、１１……基準クロック生成部、２０……ＣＰＵ、２１……ＲＯＭ、２２……ＲＡＭ、２３……表示処理回路、２４……信号処理回路、２５、２６……インターフェース回路、２７……ＳＣＳＩインターフェース回路、２８……ＣＰＵバス、２９……ハードディスク装置、３０……ＧＵＩ画面、３０Ａ……データ表示エリア、３０Ｂ……クリップ表示エリア、Ｃ１〜Ｃ３……クリップ群、Ｃ１Ａ〜Ｃ３Ｄ……クリップ、Ｄ１〜Ｄ４……映像データ、Ｄ５〜Ｄ８……エンコードデータ、ＤＴ１〜ＤＴ４……テキストデータ、ＤTIME１〜ＤTIME４Ｂ……タイムデータ、ＰIN１〜ＰIN３……イン点、ＰOUT １〜ＰOUT ３……アウト点、ＰSW１〜ＰSW４……スイッチングポイント、ＲＴ１……編集リスト作成処理手順。
【図１】
0004009922.tif 000002
【図２】
0004009922.tif 000003
【図３】
0004009922.tif 000004
【図４】
0004009922.tif 000005
【図５】
0004009922.tif 000006
【図６】
0004009922.tif 000007
【図７】
0004009922.tif 000008